(57)【要約】【課題】本発明は、生体情報測定装置に関するもので、使い手を良くすることを目的とするものである。【解決手段】そしてこの目的を達成するために本発明の測定器１の制御部１３は、測定モードと送信モードとを有し、前記測定モードにおいて、測定部１２により血糖値を測定し、前記送信モードにおいて、電池１４の容量が通信可能容量以上の時には、血糖値を通信部１６からポンプ２へ送信し、前記送信モードにおいて、前記電池１４の容量が通信可能容量未満の時には、血糖値を記憶部１７に未送信データとして記憶させ、前記電池１４の容量が通信可能容量未満の状態から、通信可能容量以上になった時には、前記記憶部１７の未送信データを前記ポンプ２に送信し、測定モードに移行させる構成とした。【選択図】図２
2013192589.tif 000002
【特許請求の範囲】
【請求項１】
センサ装着部を有する本体ケースと、前記センサ装着部に接続した測定部と、この測定部に接続した制御部と、この制御部に接続した充電式の電池と、前記制御部に接続するとともに薬剤投与情報を薬剤投与装置へ送信する通信部と、前記制御部に接続した記憶部と、を備え、
前記制御部は、測定モードと送信モードとを有し、
前記測定モードにおいて、前記測定部により薬剤投与情報を測定し、
前記送信モードにおいて、前記電池の容量が通信可能容量以上の時には、薬剤投与情報を前記通信部から薬剤投与装置へ送信し、
前記送信モードにおいて、前記電池の容量が通信可能容量未満の時には、薬剤投与情報を前記記憶部に未送信データとして記憶させ、
前記電池の容量が通信可能容量未満の状態から、通信可能容量以上になった時には、前記記憶部の未送信データを前記薬剤投与装置に送信した後、測定モードに移行させる構成とした生体情報測定装置。
【請求項２】
薬剤投与情報は、薬剤投与量情報、あるいは薬剤投与量の算出情報である請求項１に記載の生体情報測定装置。
【請求項３】
薬剤投与情報は、血糖値から算出されるインスリン投与量とした請求項２に記載の生体情報測定装置。
【請求項４】
未送信データは、有効時間を有する請求項１または２に記載の生体情報測定装置。
【請求項５】
前記有効時間は、薬剤投与情報が記憶部に記憶させられた時から所定時間内とした請求項４に記載の生体情報測定装置。
【発明の詳細な説明】
【技術分野】
【０００１】
本発明は、薬剤投与装置に薬剤投与量を指示する生体情報測定装置に関するもので、たとえば、糖尿病患者にインスリンを投与する場合に活用されるものである。
【背景技術】
【０００２】
従来のこの種、生体情報装置の構成は、以下のような構成となっていた。
【０００３】
すなわち、センサ装着部を有する本体ケースと、前記センサ装着部に接続した測定部と、この測定部に接続した制御部と、この制御部に接続した電池と、前記制御部に接続するとともに薬剤投与情報を薬剤投与装置（たとえばインスリンポンプ）へ送信する通信部と、を備えた構成となっていた（たとえば、下記特許文献１）。
【０００４】
具体的には、たとえば、前記生体情報測定装置が血糖値を測定するものであった場合には、この生体情報測定装置で測定した血糖値が、インスリンポンプに無線通信されるようになっていた。
【先行技術文献】
【特許文献】
【０００５】
【特許文献１】特表２００９−５０４３２２号公報
【発明の概要】
【発明が解決しようとする課題】
【０００６】
上記従来例における課題は、電池容量が少ない時の使い勝手が悪いということであった。
【０００７】
すなわち、従来の生体情報測定装置は、測定した血糖値をインスリンポンプに無線通信する時に大きな電力を消費するため、生体情報測定装置の起動時に電池容量を確認している。そして、起動時の電池容量が通信可能容量未満の時は、電池を新しい電池に取り替えた後で、血糖値の測定および無線通信を行う構成となっていた。
【０００８】
したがって、たとえば食事前など血糖値を知りたいと思った時に血糖値をすぐに測定できない時があり、結論として使い勝手が悪いものであった。
【０００９】
そこで本発明は、使い手を良くすることを目的とする。
【課題を解決するための手段】
【００１０】
そして、この目的を達成するために本発明は、センサ装着部を有する本体ケースと、前記センサ装着部に接続した測定部と、この測定部に接続した制御部と、この制御部に接続した充電式の電池と、前記制御部に接続するとともに薬剤投与情報を薬剤投与装置へ送信する通信部と、前記制御部に接続した記憶部と、を備え、前記制御部は、測定モードと送信モードとを有し、前記測定モードにおいて、前記測定部により薬剤投与情報を測定し、前記送信モードにおいて、前記電池の容量が通信可能容量以上の時には、薬剤投与情報を前記通信部から薬剤投与装置へ送信し、前記送信モードにおいて、前記電池の容量が通信可能容量未満の時には、薬剤投与情報を前記記憶部に未送信データとして記憶させ、前記電池の容量が通信可能容量未満の状態から、通信可能容量以上になった時には、前記記憶部の未送信データを前記薬剤投与装置に送信した後、測定モードに移行させる構成とし、これにより所期の目的を達成するものである。
【発明の効果】
【００１１】
以上のように本発明の生体情報測定装置の制御部は、測定モードと送信モードとを有し、前記測定モードにおいて、測定部により薬剤投与情報を測定し、前記送信モードにおいて、電池の容量が通信可能容量以上の時には、薬剤投与情報を通信部から薬剤投与装置へ送信し、前記送信モードにおいて、前記電池の容量が通信可能容量未満の時には、薬剤投与情報を記憶部に未送信データとして記憶させ、前記電池の容量が通信可能容量未満の状態から、通信可能容量以上になった時には、前記記憶部の未送信データを前記薬剤投与装置に送信した後、測定モードに移行させる構成としたものであるので、使い勝手のよいものとなる。
【００１２】
すなわち、本発明の生体情報測定装置は、起動時の電池容量が通信可能容量未満である時は、血糖値の測定のみを行い、血糖値を未送信データとして記憶部に記憶し保存する。このため、電池容量が少ない時でも血糖値を知ることができる。
【００１３】
さらに、この血糖値は、その後の電池の充電中において、電池容量が通信可能容量未満の状態から通信可能容量以上になった時に、直ちにインスリンポンプに送信されるので使い勝手の良いものとなる。
【００１４】
したがって、たとえば食事前など血糖値を知りたいと思った時にすぐに測定でき、現在の血糖値を知ることが出来る。その結果として、使い勝手の良いものとなる。
【図面の簡単な説明】
【００１５】
【図１】本発明の一実施形態に係る生体情報測定装置の使用状態を示す図
【図２】同、制御ブロック図
【図３】同、充電状態を示す斜視図
【図４】同、電池の容量を説明する図
【図５】同、動作フローチャート
【図６】同、動作フローチャート
【発明を実施するための形態】
【００１６】
以下、本発明の一実施形態を、たとえば、糖尿病患者にインスリンを投与する場合を例にして説明する。
【００１７】
（実施の形態１）
図１において、１は血液から血糖値を測定する測定器（生体情報測定装置の一例）で、測定した血糖値を、インスリンポンプ（薬剤投与装置の一例で、以下ポンプと称す）２に送信するものである。
【００１８】
なお、測定器１からは、測定した血糖値（薬剤投与量の算出情報の一例）の他に、たとえば、この測定した血糖値から算出されるインスリン投与量（薬剤投与量情報の一例）、使用者が指定するインスリン量（薬剤投与量情報の一例）が、薬剤投与情報としてポンプ２に送信される。
【００１９】
以下、測定器１で血糖値を測定し、この血糖値がポンプ２に送信される場合を例にとり説明を続ける。
【００２０】
ポンプ２は、測定器１から送信された血糖値に基づいてインスリンの投与量を算出する。そして、この算出した投与量に従って、このポンプ２内に装着された薬剤シリンジ（図示せず）内の薬剤をチューブ３、針４を介して患者に投与する。なお、ポンプ２は、一般的に使用者の衣服下の腰回りに取り付けられ、針４が使用者の腹やお腹の皮下脂肪に差し込まれる。この状態で、ポンプ２はインスリンを自動的に使用者に投与することができる。また、ポンプ２の表面には、表示部５が設けられている。
【００２１】
測定器１について説明する。
【００２２】
測定器１の本体ケース６の上面には、表示部７が設けられており、本体ケース６の先端側にはセンサ装着部８が設けられている。そして、このセンサ装着部８に、長板形状の血糖値センサ９の接続端子１０を装着し、その状態で、血糖値センサ９の点着部１１に血液を点着すれば、その時の血糖値が図２の測定部１２によって測定され表示部７に表示されるようになっている。
【００２３】
図２は、この測定器１の制御ブロック図である。
【００２４】
センサ装着部８は測定部１２に接続され、この測定部１２は制御部１３に接続されている。制御部１３には、充電式の電池１４、この電池１４を充電する充電コイル１５、表示部７が接続され、さらに、薬剤投与情報をポンプ２へ送信する通信部１６、記憶部１７、時計１８が接続されている。また、制御部１３内には、電池１４の容量を測定する電池判定部１９、電池１４の充電を制御する充電制御部２０が設けられている。
【００２５】
そして、測定部１２が測定した血糖値は、制御部１３が通信部１６を用いてポンプ２に送信される。なお、通信部１６とポンプ２の通信は、無線通信により行われる。
【００２６】
図３は、測定器１が充電器２１上に置かれて充電されている状態を示す図である。
【００２７】
測定器１は、測定した血糖値をポンプ２に無線通信する時に大きな電力を消費する。この通信電力は、血糖値の測定電力に比べ大きい。このため、本体ケース６内に充電式の電池１４を設け、充電器２１により適時充電することにより電力を確保する。
【００２８】
この充電器２１は、上面がほぼ正方形をした平板形状に形成しており、その上面のほぼ全域に、測定器１を当接させる当接面２２が設けられている。この当接面２２は、開口部がほぼ正方形状となった凹部に形成されており、この凹部の底部を平面状に形成し当接面２２としている。
【００２９】
この当接面２２は、測定器１の本体ケース６よりも大きく形成しているので、測定器１を容易に置くことができる。また充電器２１の上面には、当接面２２の周辺部に表示部２３、操作キー２４が設けられている。充電器２１の内部には、表示部２３、操作キー２４が接続された制御部（図示せず）が設けられ、この制御部に接続された充電コイル（図示せず）が当接面２２に対向して設けられている。
【００３０】
つまり、測定器１を充電器２１の当接面２２に置くと、充電コイル（図示せず）により測定器１の充電が行われるようになっている。この充電は、たとえば、家庭用電気カミソリの充電などに用いられる磁束を用いた非接触式充電により行われる。この方式はよく知られている方式であるため簡単に説明すると、充電器２１の充電コイル（図示せず）に電流を流すと、この充電コイルに磁束が発生し、この磁束を媒介として測定器１内の充電コイル１５に起電力が発生する。この起電力が測定器１の充電制御部２０により制御され、電池１４の充電が行われる。
【００３１】
図４は、電池１４の充電状態を説明するための図である。
【００３２】
電池１４の電池の容量は、エンプティ（充電量０％）からフル（充電量１００％）までの間で、以下に示す３つの領域に区分される。
【００３３】
第１の領域は、エンプティ（充電量０％）以上で測定可能容量ＰＡ（たとえば、充電量１０％）未満の領域で、電池１４の容量無しの領域である。電池１４の容量がこの領域内の時は、血糖値の測定処理、無線通信処理（ポンプ２への送信）は、共に実行できない。
【００３４】
第２の範囲は、測定可能容量ＰＡ以上で通信可能容量ＰＢ（たとえば、充電量３０％）未満の領域で、血糖値の測定処理のみ実行可能な領域である。電池１４の容量がこの領域内の時は、血糖値の測定処理は実行できるが、無線通信処理（ポンプ２への送信）は実行できない。
【００３５】
第３の範囲は、通信可能容量ＰＢ以上でフル（充電量１００％）以下の領域で、全機能実行可能領域である。電池１４の容量がこの領域内の時は、血糖値の測定処理、無線通信処理（ポンプ２への送信）を実行できる。
【００３６】
以上の構成において、以下、その動作を図５〜図６を用いて説明する。
【００３７】
まず、図５のＳ１において、測定器１の電源スイッチ（図示せず）が押され電源がＯＮされると、測定器１が起動する（図５のＳ１）。
【００３８】
この起動時に、制御部１３は、電池判定部１９を用いて電池１４に測定可能な容量が有るか否かの判定を行う。この判定は、たとえば電池１４の電圧を測定することにより実施される（図５のＳ２）。
【００３９】
電池１４の容量が、図４の測定可能容量ＰＡ未満の時は、制御部１３は表示部７に「充電してください」と一定時間、メッセージを表示した後、電源をＯＦＦにする（図５のＳ３）。
【００４０】
電池１４の容量が、図４の測定可能容量ＰＡ以上の時には、測定できる容量が有るので、制御部１３は測定モードとなる。この測定モードで、使用者が測定器１のセンサ装着部８に血糖値センサ９を装着し点着部１１に血液を点着すれば、その時の血糖値が測定部１２によって測定され、この血糖値が表示部７に表示される（図５のＳ４）。制御部１３は、この血糖値を記憶部１７に保存する（図５のＳ５）。
【００４１】
その後、制御部１３は、測定モードを送信モードに変更する。
【００４２】
この送信モード時に、制御部１３は、電池１４に無線通信処理（ポンプ２への送信）ができる容量が既に残っていないのか否かを確認する。具体的には、電池１４の容量が通信可能容量ＰＢ未満か否かを判定する（図５のＳ６）。
【００４３】
電池１４の容量が、通信可能容量ＰＢ以上の時には、制御部１３は、記憶部１７に保存された血糖値を通信部１６によりポンプ２に送信する。そして、制御部１３は、送信モードを測定モードに変更する（図５のＳ７）。
【００４４】
図５のＳ６で、電池１４の容量が通信可能容量ＰＢ未満の時、つまり、ポンプ２へ送信できる容量は既に無いと判定された時は、制御部１３は、記憶部１７に保存された血糖値に、付加情報として、血糖値がポンプ２に未送信であることを示す送信保留情報と、血糖値の有効時間を示す有効時間情報を付加する。そして、この血糖値を、送信保留状態の未送信データとして記憶部１７に再保存する（図５のＳ８）。
【００４５】
なお有効時間情報とは、血糖値をポンプ２に送信することができる時間で、たとえば３０分間と定義される。そして血糖値の送信保留時間（送信保留状態となっている時間）が有効時間内の時は、この血糖値をポンプ２のインスリンの投与量算出に使用することができる。この詳細は後述する。
【００４６】
次に制御部１３は、時計１８のカウントアップ機能をスタートさせ、送信保留となった血糖値の送信保留時間をカウントしていく（図５のＳ９）。その後、制御部１３は、表示部７に「測定器を充電台においてください」と表示し（図５のＳ１０）、充電が開始されるのを待つ（図５のＳ１１）。
【００４７】
使用者は、表示部７の表示を読み取ることにより、血糖値がまだポンプ２に送信されていない状態であることを認識できるので、図３のごとく、測定器１を、充電器２１の当接面２２に置いて充電を開始する。
【００４８】
この充電について、図６を用いて説明する。
【００４９】
測定器１が充電器２１に設置されると、充電器２１から測定器１内の電池１４に対して非接触充電が開始される（図６のＳ１）。
【００５０】
制御部１３は、記憶部１７に未送信データがあるか否かを判断する。この判断は、血糖値に付加された送信保留情報の有無によって判断する（図６のＳ２）。送信保留情報が付加された血糖値が無い時は、未送信データは無いので、制御部１３は、表示部７に「充電中です」とメッセージを表示し充電を続ける（図６のＳ３）。
【００５１】
送信保留情報が付加された血糖値が有る時は、未送信データが存在するので、この未送信データの送信処理を行っていく。本実施形態では、詳細は後述するが、この未送信データをできるだけ早い時刻にポンプ２に送信することで、血糖値の測定からポンプ２への送信までの時間を短縮しようとしている。なお、この未送信データの処理が終わるまでは、制御部１３は測定モードに移行することはなく、次の血糖値測定が禁止された状態となる。
【００５２】
未送信データの処理について、説明を続ける。
【００５３】
制御部１３は、表示部７に「充電後、血糖値を送信します」とメッセージを表示し（図６のＳ４）、電池判定部１９が、充電により電池１４が送信可能な容量となったか否かの確認を行う（図６のＳ５）。なお、電池１４が通信可能容量ＰＢ以上になるまで充電が続行される（図６のＳ４、Ｓ５が繰り返される）。
【００５４】
電池１４が通信可能容量ＰＢ以上に充電された時は、制御部１３が表示部７に「送信してもいいですか？」とメッセージを表示する（図６のＳ６）。
【００５５】
この表示を見た測定者は、測定器１を充電器２１から取り上げ、送信ＯＫボタン（図示せず)を押す（図６のＳ７）。
【００５６】
すると、制御部１３は、未送信データに付加されていた送信保留情報をクリアし（図６のＳ８）、時計１８のタイマー機能のカウントアップを終了する（図６のＳ９）。
【００５７】
その後、制御部１３は、未送信データをポンプ２へと送信する（図６のＳ１０）。
【００５８】
制御部１３は送信モードを終了し測定モードに移行する。
【００５９】
このように、本実施形態においては、未送信データが存在する時には、たとえ充電中であってもポンプ２に送信するものとしている。
【００６０】
なお、この非接触充電中は、測定器１内に充電による熱が発生する。この熱は血糖値の測定に悪影響を及ぼすものであるが、血糖値はすでに充電前に測定されて未送信データとして記憶部１７に保存されている。したがって、この充電による発熱に、血糖値（未送信データ）が悪影響されることはない。
【００６１】
図６のＳ７に戻って、使用者が、表示部７に表示された「送信してもいいですか？」の表示に気づかなかった時には、制御部１３は、未送信データの有効時間の確認を行う。具体的には、制御部１３が、時計１８のタイマー機能による送信保留時間と、未送信データの有効時間を比較し、未送信データ保留時間が有効時間内にあるか否かを判定する（図６のＳ１１）。
【００６２】
未送信データの有効時間の経過後は、制御部１３が、この未送信データはもはやポンプ２のインスリンの投与量算出に使用できないと判断する。すると、制御部１３は、未送信の血糖値に付加されていた送信保留情報をクリアし（図６のＳ１２）、時計１８のカウントアップを終了する（図６のＳ１３）。
【００６３】
この後は、もはや有効な未送信データは存在しない状態となる。
【００６４】
未送信データが無くなったので、制御部１３は、送信モードを測定モードに切り換える。
【００６５】
そして制御部１３は、表示部７に「充電中です」とメッセージを表示し（図６のＳ１４）、電池１４がフル（充電量１００％）になるまで充電を続ける（図６のＳ１５）。
【００６６】
なお、図６のＳ１１で、未送信データの保留時間が有効時間内である判断された時には、図６のＳ６、Ｓ７、Ｓ１１と繰り返しながら、充電を続けることとなる。
【００６７】
このように、本実施形態においては、未送信データ（送信保留された血糖値）には、有効時間を設けているので、ポンプ２には有効な血糖値だけを送信することができる。したがって、有効な血糖値を自動的に判別できるものとなり、この点からも、使い勝手の良いものとなる。
【００６８】
すなわち、本実施形態の測定器１は、起動時の電池容量が通信可能容量ＰＢ未満である時は、血糖値の測定のみを行い、血糖値を未送信データとして記憶部１７に記憶し保存する。このため、電池容量が少ない時でも血糖値を知ることができる。
【００６９】
さらに、この血糖値は、その後の電池１４の充電中において、電池容量が通信可能容量未満の状態から通信可能容量以上になった時に、直ちにポンプ２に送信されるので使い勝手の良いものとなる。
【００７０】
したがって、たとえば食事前など血糖値を知りたいと思った時にすぐに測定でき、現在の血糖値を知ることが出来る。その結果として、使い勝手の良いものとなる。
【産業上の利用可能性】
【００７１】
以上のように本発明の生体情報測定装置の制御部は、測定モードと送信モードとを有し、前記測定モードにおいて、測定部により薬剤投与情報を測定し、前記送信モードにおいて、電池の容量が通信可能容量以上の時には、薬剤投与情報を通信部から薬剤投与装置へ送信し、前記送信モードにおいて、前記電池の容量が通信可能容量未満の時には、薬剤投与情報を記憶部に未送信データとして記憶させ、前記電池の容量が通信可能容量未満の状態から、通信可能容量以上になった時には、前記記憶部の未送信データを前記薬剤投与装置に送信した後、測定モードに移行させる構成としたものであるので、使い勝手のよいものとなる。
【００７２】
すなわち、本発明の生体情報測定装置は、起動時の電池容量が通信可能容量未満である時は、血糖値の測定のみを行い、血糖値を未送信データとして記憶部に記憶し保存する。このため、電池容量が少ない時でも血糖値を知ることができる。
【００７３】
さらに、この血糖値は、その後の電池の充電中において、電池容量が通信可能容量未満の状態から通信可能容量以上になった時に、直ちにインスリンポンプに送信されるので使い勝手の良いものとなる。
【００７４】
したがって、たとえば食事前など血糖値を知りたいと思った時にすぐに測定でき、現在の血糖値を知ることが出来る。その結果として、使い勝手の良いものとなる。
【００７５】
したがってたとえば、糖尿病患者にインスリンを投与する場合に活用される生体情報測定装置として、広く活用が期待されるものである。
【符号の説明】
【００７６】
１  測定器
２  ポンプ
３  チューブ
４  針
５  表示部
６  本体ケース
７  表示部
８  センサ装着部
９  血糖値センサ
１０  接続端子
１１  点着部
１２  測定部
１３  制御部
１４  電池
１５  充電コイル
１６  通信部
１７  記憶部
１８  時計
１９  電池判定部
２０  充電制御部
２１  充電器
２２  当接面
２３  表示部
２４  操作キー
ＰＡ  測定可能容量
ＰＢ  通信可能容量
【図１】
2013192589.tif 000003
【図２】
2013192589.tif 000004
【図３】
2013192589.tif 000005
【図４】
2013192589.tif 000006
【図５】
2013192589.tif 000007
【図６】
2013192589.tif 000008